(57)【要約】【課題】汎用性を維持しつつ予備系への切り替えを迅速に行う。【解決手段】複数の機能単位を相互に接続する複数の制御線を有する制御線群５０を有し、第１の機能単位は伝送路または伝送機器に発生した異常を検出する検出手段（４０−１ａ）と、検出された異常に基づく制御信号を所定の制御線に通知する通知手段（制御部４０−１ｂ）とを有し、異常が検出された場合には第１の機能単位の動作を停止し、第２の機能単位は制御信号を受領する受領手段（制御部４０−２ｂ）と、受領手段によって制御信号を受領した場合に第２の機能単位の動作を開始させる動作開始手段（動作部４０−２ａ）とを有し、第１の機能単位および第２の機能単位は、制御線群から同一の制御線をそれぞれ選択し、選択された制御線によって通知手段と受領手段とを接続する制御をする選択制御手段（選択切替部４０−１ｃ，４０−２ｃ）と、を有する。【選択図】図１
2016032175.tif 000002
【特許請求の範囲】
【請求項１】
伝送機器としての動作をする機能を有する複数の機能単位で構成される伝送装置において、
前記複数の機能単位を相互に接続する複数の制御線を有する制御線群を有し、
第１の機能単位と第２の機能単位とを有し、
前記第１の機能単位は、伝送路または伝送機器に発生した異常を検出する検出手段と、
前記検出手段によって検出された異常に基づく制御信号を、前記制御線群を構成する所定の制御線に通知する通知手段と、を少なくとも有し、
前記検出手段によって異常が検出された場合には、前記第１の機能単位の前記動作を停止し、
前記第２の機能単位は、前記制御信号を受領する受領手段と、
前記受領手段によって前記制御信号を受領した場合に、前記第２の機能単位の前記動作を開始させる動作開始手段と、を少なくとも有し、
前記第１の機能単位および前記第２の機能単位は、前記制御線群から同一の制御線をそれぞれ選択し、選択された制御線によって前記通知手段と前記受領手段とを接続する制御をする選択制御手段と、
を有することを特徴とする伝送装置。
【請求項２】
伝送機器としての機能を有する複数の機能単位で構成され、少なくとも第1および第２の伝送系統に接続される伝送装置において、
前記複数の機能単位を相互に接続する複数の制御線を有する制御線群を有し、
第１の機能単位と第２の機能単位とを有し、
前記第１の機能単位は、
前記第１の伝送系統および前記第２の伝送系統の少なくとも一方に発生した異常を検出する検出手段と、
前記検出手段によって検出された異常に基づく制御信号を、前記制御線群を構成する所定の制御線に通知する通知手段と、を少なくとも有し、
前記第２の機能単位は、
前記制御信号を受領する受領手段と、
前記受領手段によって前記制御信号を受領した場合に、前記伝送系統を一方から他方へ切り替える切替手段と、を少なくとも有し、
前記第１の機能単位および前記第２の機能単位は、前記制御線群から同一の制御線をそれぞれ選択し、選択された制御線によって前記通知手段と前記受領手段とを接続する制御をする選択制御手段と、
を有することを特徴とする伝送装置。
【請求項３】
前記第１の機能単位は、前記伝送機器として第１の光受信器を有し、
前記検出手段によって異常が検出された場合には、前記通知手段によって前記制御信号を通知するとともに、前記第１の光受信器の動作を停止させ、
前記第２の機能単位は、前記伝送機器として第２の光受信器を有し、
前記受領手段によって前記制御信号を受領した場合には、前記動作開始手段によって前記第２の光受信器の動作を開始させる、
ことを特徴とする請求項１に記載の伝送装置。
【請求項４】
前記機能単位の一つは、前記伝送機器として第１の光送信器を有し、
前記検出手段によって異常が検出された場合には、前記通知手段によって前記所定の制御線に前記制御信号を通知するとともに、前記第１の光送信器の動作を停止させ、
前記第２の機能単位は、前記伝送機器として第２の光送信器を有し、
前記受領手段によって前記制御信号を受領した場合には、前記動作開始手段によって前記第２の光送信器の動作を開始させる、
ことを特徴とする請求項１に記載の伝送装置。
【請求項５】
前記第１の機能単位は、前記伝送機器として第１の増幅器を有し、
前記検出手段によって異常が検出された場合には、前記通知手段によって前記所定の制御線に前記制御信号を通知するとともに、前記第１の増幅器の動作を停止させ、
前記第２の機能単位は、前記伝送機器として第２の増幅器を有し、
前記受領手段によって前記制御信号を受領した場合には、前記動作開始手段によって前記第２の光増幅器の動作を開始させる、
ことを特徴とする請求項１に記載の伝送装置。
【請求項６】
前記検出手段は、前記第１の伝送系統および前記第２の伝送系統の少なくとも一方を構成する伝送機器に発生した異常を検出すること特徴とする請求項２記載の伝送装置。
【請求項７】
前記制御線群をそれぞれ有する複数のラックを有し、
前記複数のラックには、１または複数の前記機能単位がそれぞれ収容され、
前記制御線群のうち一方のラックに配された制御線群が、ケーブルを介して他方のラックに配された制御線群に接続される、
ことを特徴とする請求項１乃至６のいずれか1項に記載の伝送装置。
【請求項８】
前記通知手段と前記受領手段とが、
状態を表現する状態信号を伝送する第１の制御線と、
前記状態信号を動作に反映させるトリガ信号を伝送する第２の制御線と、
を介して接続されていることを特徴とする請求項１乃至７のいずれか1項に記載の伝送装置。
【請求項９】
前記通知手段と前記受領手段の間で伝送される信号が符号化されていることを特徴とする請求項１乃至８のいずれか1項に記載の伝送装置。
【請求項１０】
伝送機器としての動作をする機能または伝送機器としての機能を有する複数の機能単位を筐体内に収容する伝送装置用ラックであって、前記複数の機能単位が挿入される機能単位挿入部と、前記筐体の内部に配され、前記複数の機能単位が接続される複数の制御線を有する制御線群と、前記機能単位挿入部に対応して設けられ、前記複数の機能単位のうち２以上の機能単位と前記制御線のうち少なくとも１の制御線とを接続し、該機能単位同士での信号の授受を可能にする機能単位接続部と、を有し、
前記制御線の各々は、互いに接続されていない事を特徴とする伝送装置用ラック。
【発明の詳細な説明】
【技術分野】
【０００１】
本発明は、伝送装置および伝送装置用ラックに関するものである。
【背景技術】
【０００２】
ＣＡＴＶやＦＴＴＨシステム等において、複数の機器にまたがってシステムの冗長を図る際には、例えば、特許文献１に開示されるように、現用系の異常状態をコントローラ等の監視・制御媒体に対して送出し、その監視・制御媒体が状態を判断して予備系への切り替えを行う方式とせざるを得ない場合がある。
【０００３】
図１１は従来の冗長システムの構成例を示している。この例では、冗長システム１Ａは、ラック３に着脱可能に配置されたユニット１０−１〜１０−ｎ、信号線１１、監視部２０、ＬＡＮケーブル２５、および、制御端末３０を有している。ここで、ユニット１０−１〜１０−ｎは、例えば、送信器や受信器、増幅器、切替器等の伝送機器を指す。伝送路や伝送機器の異常を検出するユニットとそれらの切替や冗長運転を行うユニットが別々に存在している。監視部２０は、信号線１１を介して、例えば、ＲＳ−４８５等の通信によりユニット１０−１〜１０−ｎを監視し、伝送路や伝送機器の異常を検出するユニットに異常が検出された場合、ユニット１０−１〜１０−ｎの中で切替や冗長運転を行う必要があるユニットに対して、例えば、ＲＳ−４８５等の通信により制御命令を出し、冗長動作を行う。
【０００４】
監視部２０は、ＬＡＮケーブル２５を介して制御端末３０に接続され、この制御端末３０を操作することで、監視部２０の環境設定等を行うことができるだけでなく、監視部２０の代わりに制御端末３０が監視部２０を経由してユニットの異常を検出し、冗長制御を行う場合もある。
【先行技術文献】
【特許文献】
【０００５】
【特許文献１】特開平１１−２１５１５０号公報
【発明の概要】
【発明が解決しようとする課題】
【０００６】
ところで、図１１に示すような従来技術では、前段および当該機器の異常や伝送路の異常を検出するユニットと、検出した結果を受けて切替制御やバックアップといった冗長動作を行うユニットが別体となっている場合がある。
【０００７】
監視部２０を経由して検出結果を伝達しようとする場合、監視部２０は通信等によってユニット１０−１〜１０−ｎの状態を監視し、監視部２０が異常を認識してから対象のユニットに制御命令を発するため、現用系から予備系への切り替え等を行う場合、時間を要するという問題がある。
【０００８】
一方、監視部２０を経由せずに検出結果を直接伝達しようとする場合、異常を検出するユニットと冗長動作を行うユニットの間に専用の信号線を設ける方法があるが、それぞれの位置を任意とする場合、専用の信号線の本数が累乗的に増加してしまい、多数の伝送路や機器を対象としている場合には実現困難、もしくは実現できたとしても大型化や高コスト化等を誘発してしまうという問題がある。より具体的には、例えば、図１２に示すように、６つのユニット１０−１〜１０−６を専用の信号線で相互に接続する場合には、信号線１２−１〜１２−１５の１５本が必要になる。一般的には、必要な信号線の数は、ユニットの数をｘ個とすると、組み合わせを用いてｘＣ２＝ｘ×（ｘ−１）／２によって求められ、信号線の数はｘの値に応じて累乗的に増加する。
【０００９】
また、異常を検出するユニットと冗長動作を行うユニットの位置を固定すれば専用の信号線の本数を限定できるが、位置が固定され設備としての汎用性が低下してしまうという問題が発生する。より具体的には、例えば、ラック内において、伝送路や伝送機器の異常を検出するユニットを装着可能な位置、切替や冗長運転を行うユニットを装着可能な位置をそれぞれ定めることで、当該部分にはそれぞれ一方のユニットしか装着できなくなるだけでなく、ラック内に装着可能なユニット数がそれぞれ決まってしまうため、設置しようとした場所、サービスに柔軟に対応することができなくなる。
【００１０】
本発明は、以上の点に鑑みてなされたものであり、伝送設備としての汎用性を維持しつつ、予備系への切り替えを迅速に行うことが可能であるとともに、多数の伝送路や伝送機器に対応した伝送装置および伝送装置用ラックを提供することを目的とする。
【課題を解決するための手段】
【００１１】
上記課題を解決するために、本発明は、伝送機器としての動作をする機能を有する複数の機能単位で構成される伝送装置において、前記複数の機能単位を相互に接続する複数の制御線を有する制御線群を有し、第１の機能単位と第２の機能単位とを有し、前記第１の機能単位は、伝送路または伝送機器に発生した異常を検出する検出手段と、前記検出手段によって検出された異常に基づく制御信号を、前記制御線群を構成する所定の制御線に通知する通知手段と、を少なくとも有し、前記検出手段によって異常が検出された場合には、前記第１の機能単位の前記動作を停止し、前記第２の機能単位は、前記制御信号を受領する受領手段と、前記受領手段によって前記制御信号を受領した場合に、前記第２の機能単位の前記動作を開始させる動作開始手段と、を少なくとも有し、前記第１の機能単位および前記第２の機能単位は、前記制御線群から同一の制御線をそれぞれ選択し、選択された制御線によって前記通知手段と前記受領手段とを接続する制御をする選択制御手段と、を有することを特徴とする。
このような構成によれば、汎用性を維持しつつ、予備系への切り替えを迅速に行うことが可能となる。
【００１２】
また、本発明は、伝送機器としての機能を有する複数の機能単位で構成され、少なくとも第1および第２の伝送系統に接続される伝送装置において、前記複数の機能単位を相互に接続する複数の制御線を有する制御線群を有し、第１の機能単位と第２の機能単位とを有し、前記第１の機能単位は、前記第１の伝送系統および前記第２の伝送系統の少なくとも一方に発生した異常を検出する検出手段と、前記検出手段によって検出された異常に基づく制御信号を、前記制御線群を構成する所定の制御線に通知する通知手段と、を少なくとも有し、前記第２の機能単位は、前記制御信号を受領する受領手段と、
前記受領手段によって前記制御信号を受領した場合に、前記伝送系統を一方から他方へ切り替える切替手段と、を少なくとも有し、前記第１の機能単位および前記第２の機能単位は、前記制御線群から同一の制御線をそれぞれ選択し、選択された制御線によって前記通知手段と前記受領手段とを接続する制御をする選択制御手段と、を有することを特徴とする。
このような構成によれば、汎用性を維持しつつ、予備系への切り替えを迅速に行うことが可能となる。
【００１３】
また、本発明は、前記第１の機能単位は、前記伝送機器として第１の光受信器を有し、前記検出手段によって異常が検出された場合には、前記通知手段によって前記制御信号を通知するとともに、前記第１の光受信器の動作を停止させ、前記第２の機能単位は、前記伝送機器として第２の光受信器を有し、前記受領手段によって前記制御信号を受領した場合には、前記動作開始手段によって前記第２の光受信器の動作を開始させる、ことを特徴とする。
このような構成によれば、現用系の光受信器または光送信器から予備系の光受信器または光送信器に迅速に切り替えることができる。
【００１４】
また、本発明は、前記機能単位の一つは、前記伝送機器として第１の光送信器を有し、前記検出手段によって異常が検出された場合には、前記通知手段によって前記所定の制御線に前記制御信号を通知するとともに、前記第１の光送信器の動作を停止させ、前記第２の機能単位は、前記伝送機器として第２の光送信器を有し、前記受領手段によって前記制御信号を受領した場合には、前記動作開始手段によって前記第２の光送信器の動作を開始させる、ことを特徴とする。
このような構成によれば、現用系の光送信器から予備系の光送信器に迅速に切り替えることができる。
【００１５】
また、本発明は、前記第１の機能単位は、前記伝送機器として第１の増幅器を有し、前記検出手段によって異常が検出された場合には、前記通知手段によって前記所定の制御線に前記制御信号を通知するとともに、前記第１の増幅器の動作を停止させ、前記第２の機能単位は、前記伝送機器として第２の増幅器を有し、前記受領手段によって前記制御信号を受領した場合には、前記動作開始手段によって前記第２の光増幅器の動作を開始させる、ことを特徴とする。
このような構成によれば、現用系の光増幅器から予備系の光増幅器に迅速に切り替えることができる。
【００１６】
また、本発明は、前記検出手段は、前記第１の伝送系統および前記第２の伝送系統の少なくとも一方を構成する伝送機器に発生した異常を検出すること特徴とする。
このような構成によれば、第１の伝送系統および第２の伝送系統の少なくとも一方を構成する伝送機器を迅速に切り替えることができる。
【００１７】
また、本発明は、前記制御線群をそれぞれ有する複数のラックを有し、前記複数のラックには、１または複数の前記機能単位がそれぞれ収容され、前記制御線群のうち一方のラックに配された制御線群が、ケーブルを介して他方のラックに配された制御線群に接続される、ことを特徴とする。
このような構成によれば、機能単位を複数のラックに分けて収容することができるので、配置の自由度を高めることができる。
【００１８】
また、本発明は、前記通知手段と前記受領手段とが、状態を表現する状態信号を伝送する第１の制御線と、前記状態信号を動作に反映させるトリガ信号を伝送する第２の制御線と、を介して接続されていることを特徴とする。
このような構成によれば、トリガ信号を用いることで、ノイズの影響を受けにくくすることができる。
【００１９】
また、本発明は、前記通知手段と前記受領手段の間で伝送される信号が符号化されていることを特徴とする。
このような構成によれば、多くの情報をより正確に伝送することができる。
【００２０】
また、本発明は、伝送機器としての動作をする機能または伝送機器としての機能を有する複数の機能単位を筐体内に収容する伝送装置用ラックであって、前記複数の機能単位が挿入される機能単位挿入部と、前記筐体の内部に配され、前記複数の機能単位が接続される複数の制御線を有する制御線群と、前記機能単位挿入部に対応して設けられ、前記複数の機能単位のうち２以上の機能単位と前記制御線のうち少なくとも１の制御線とを接続し、該機能単位同士での信号の授受を可能にする機能単位接続部と、を有し、前記制御線の各々は、互いに接続されていない事を特徴とする。
このような構成によれば、汎用性を維持しつつ、予備系への切り替えを迅速に行うことが可能な伝送装置用ラックを提供できる。
【発明の効果】
【００２１】
本発明によれば、伝送設備として、ラック内にユニットを自由に配置できるといった汎用性を維持しつつ、予備系への切り替えを迅速に行うことが可能であるとともに、多数の伝送路や伝送機器に対応した伝送装置を提供することができる。
【図面の簡単な説明】
【００２２】
【図１】本発明の実施形態の構成例を示す図である。
【図２】図１に示すラックの構成例を示す図である。
【図３】図１に示すユニットの構成例を示す図である。
【図４】図１に示すユニットの構成例を示す図である。
【図５】図１に示すユニットと制御線の接続関係を示す図である。
【図６】図１に示すユニットが６個の場合のユニットと制御線の接続関係を示す図である。
【図７】図１に示す実施形態のより詳細な構成例を示す図である。
【図８】図１に示す実施形態のより詳細な構成例を示す図である。
【図９】図１に示す実施形態のより詳細な構成例を示す図である。
【図１０】図１に示し実施形態の変形実施態様を示す図である。
【図１１】従来の技術を説明するための図である。
【図１２】６つのユニットを専用の信号線で接続する場合の従来の構成例である。従来の構成例である。
【発明を実施するための形態】
【００２３】
（Ａ）本発明の実施形態の構成の説明
図１は、本発明の実施形態の構成例を示す図である。この図１に示すように、本発明の実施形態に係る伝送装置１は、ラック３、信号線１１、監視部２０、ユニット４０−１〜４０−ｎ（ｎ＞１）、および、制御線群５０を有し、監視部２０に対して、制御端末３０を、ＬＡＮ（Local Area Network）ケーブル２５を介して接続可能とされている。
【００２４】
なお、伝送装置１としては、例えば、ＣＡＴＶ（Cable Television）等のセンター局（ヘッドエンド）から光伝送路を介して放送、通信等のサービスを提供する代表的なシステムとして、センター局と加入者宅の間に配置された光電変換装置によって光信号を電気信号に変換し、同軸ケーブルでサービスを提供するＨＦＣ（Hybrid Fiber-Coaxial）光伝送システムや、センター局と加入者宅の間に途中に配置された光カプラによって光信号を分波し、光ケーブルでサービスを提供するＦＴＴｘ（Fiber To The x）光伝送システム等で使用される装置がある。また、ＦＴＴｘ光伝送システムには代表的なＦＴＴＨ（Fiber To The Home）の他、ＦＴＴＣ（Fiber To The Curb）、ＦＴＴＢ（Fiber To The Building）等がある。
【００２５】
ここで、ラック３は、例えば、金属製の筐体によって構成され、ユニット４０−１〜４０−ｎを着脱可能に装着できるように構成されている。ユニット４０−１〜４０−ｎは、例えば、光増幅器、光送信器、光受信器、光切替器等の伝送機器であり、ラック３に構成された後述するスロットのうち、任意のスロットに装着できる。図２は、ラック３の構成例を示している。この図２の例では、ラック３には５台のユニット４０−１〜４０−５が収容可能とされている。ラック３の前面からユニット４０−１〜４０−５をラック３のスロットに挿入することができる。ユニット４０−１〜４０−５の背面にはコネクタ４０−１ｄ〜４０−５ｄが設けられており、また、ラック３の内部にはコネクタ３−１ｂ〜３−５ｂが設けられており、コネクタ４０−１ｄ〜４０−５ｄとコネクタ３−１ｂ〜３−５ｂはそれぞれ相互に接続可能な構成となっている。ユニット４０−１〜４０−５を挿入することで、コネクタ３−１ｂ〜３−５ｂとコネクタ４０−１ｄ〜４０−５ｄがそれぞれ電気的に接続される。コネクタ３−１ｂ〜３−５ｂには、制御線５０−１〜５０−５と信号線１１がそれぞれ接続されているので、ユニット４０−１〜４０−５は、コネクタ４０−１ｄ〜４０−５ｄおよびコネクタ３−１ｂ〜３−５ｂを介して制御線５０−１〜５０−５によって相互に電気的に接続される。また、信号線１１は、監視部２０に接続されているので、ユニット４０−１〜４０−５は監視部２０に電気的に接続される。
【００２６】
図３は、ユニット４０−１の詳細な構成例を示す図である。図３では、ユニット４０−１は、検出部４０−１ａ、制御部４０−１ｂ、および、選択切替部４０−１ｃを有している。ここで、検出部４０−１ａは、例えば、伝送路を伝送される光信号レベルを検出し、制御部４０−１ｂに検出結果を通知する。制御部４０−１ｂは、検出部４０−１ａによる検出結果に基づいて、例えば、伝送路の光信号が正常か否かを判断する。伝送路の光信号が正常でないと判定した場合には、選択切替部４０−１ｃを介して他のユニット（例えば、図４に示すユニット４０−２）に通知する。選択切替部４０−１ｃは、例えば、半導体スイッチ等によって構成される。選択切替部４０−１ｃは、制御部４０−１ｂによって制御され、制御線群５０を構成する制御線のうち所望の制御線と、制御部４０−１ｂとを接続する。
【００２７】
図４は、ユニット４０−２の詳細な構成例を示す図である。図４では、ユニット４０−２は、動作部４０−２ａ、制御部４０−２ｂ、および、選択切替部４０−２ｃを有している。ここで、動作部４０−２ａは、制御部４０−２ｂによって制御され、例えば、伝送路を現用系から予備系に切り替える機能を有する。制御部４０−２ｂは、選択切替部４０−２ｃを介して他のユニット（例えば、図３のユニット４０−１）からの通知に基づいて、例えば、伝送路の光信号が正常でないと判定した場合には、動作部４０−２ａを制御して伝送路を現用系から予備系に切り替える。選択切替部４０−２ｃは、制御部４０−２ｂによって制御され、制御線群５０を構成する制御線のうち所望の制御線と、制御部４０−２ｂとを接続する。
【００２８】
制御線群５０は、複数の独立した制御線によって構成され、異常を検出するユニットと切替制御を行うユニットとの対または群で１つの制御線を占有し、他の制御線を使用する対または群と命令が混信しないようにする。なお、異常を検出するユニット１つに対して切替制御を行うユニット複数で１つの制御線を占有するようにしてもよい。図５は複数のユニットの組合せが制御線群５０の一部を占有している構成例である。ユニット４０−１とユニット４０−３はそれぞれ選択切替部４０−１ｃ、４０−３ｃにより制御線５０−１を占有している。また、ユニット４０−２およびユニット４２−４は選択切替部４０−２ｃおよび４０−４ｃにより制御線５０−２を占有している。図３、図４、および、図５の例では、制御線群５０は、制御線５０−１〜５０−４によって構成されている。制御線群５０は、例えば、ラック３のフレームをグランドレベルとする信号を伝送しても良いし、フレームと分離されたシグナルグランドをグランドレベルとする信号を伝送してもよい。制御線５０−１〜５０−４は単線ではなく、例えば複数の差動ラインで構成しても良い。また、制御線群５０は、４本以外の構成としてもよい。図６はユニット４０−１〜４０−６が、６本の制御線５０−１〜５０−６を有する信号線群５０によって接続された構成を示している。この図６の例では、ユニット４０−１〜４０−６は、６本の制御線５０−１〜５０−６によって相互に接続され、これらの制御線５０−１〜５０−６のいずれかを相互に占有可能とされている。
【００２９】
監視部２０は、信号線１１を介して、ユニット４０−１〜４０−ｎの設定を行う機能を有する。信号線１１は、例えば、ＲＳ−４８５規格に準拠した信号を伝送する。監視部２０は、例えば、ＬＡＮケーブル２５を介して制御端末３０に接続される。制御端末３０は、例えば、監視用サーバ等によって構成され、監視部２０にアクセスして、ラック３全体の設定を行うことができる。
【００３０】
（Ｂ）本発明の実施形態の動作の説明
つぎに、本発明の実施形態の動作について説明する。伝送装置１を設置する場合、まず、ユニット４０−１〜４０−ｎが装着されていない状態のラック３を所望の場所に配置する。つぎに、使用目的等に応じて、必要なユニットを選択し、ラック３に設けられているスロットに対してユニットを挿入する。
【００３１】
つぎに、制御端末３０をＬＡＮケーブル２５によって監視部２０に接続する。接続が完了すると、制御端末３０を操作して、監視部２０にアクセスしてユニット４０−１，４０−２の設定を行うことができる。例えば、図３に示すユニット４０−１では、選択切替部４０−１ｃを制御して、制御部４０−１ｂと制御線５０−１を接続するように接続関係等を設定する。これにより、検出部４０−１ａによって現用系の異常が検出された場合には、制御線５０−１に異常に基づく制御信号（例えば、異常である旨の情報そのもの）を送出することが可能となる。
【００３２】
また、図４に示すユニット４０−２では、選択切替部４０−２ｃを制御して、制御部４０−２ｂと制御線５０−１を接続するように接続関係等を設定する。これにより、ユニット４０−１から制御線５０−１を介して異常に基づく制御信号が通知された場合には、制御部４０−２ｂが動作部４０−２ａを制御して切替制御を行うことが可能となる。これらの接続関係を設定する情報は、監視部２０から信号線１１を介して、ユニット４０−１およびユニット４０−２に伝送される。また、信号線１１は双方向信号とすることも可能なため、監視部２０は、例えば、ユニット４０−１に対して設定情報を送信し、ユニット４０−１がどのように設定されたか、情報を受信することができる。
【００３３】
伝送装置１が動作中に、ユニット４０−１において、図３に示す検出部４０−１ａが現用系の異常を検出したとする。その場合、検出部４０−１ａは、制御部４０−１ｂに対して異常が発生した旨を通知する。制御部４０−１ｂは、検出部４０−１ａから該通知を受けると、前述した監視部２０からの設定に基づいて、選択切替部４０−１ｃを介して制御線５０−１に対して異常に基づく制御信号を送出する。より詳細には、制御部４０−１ｂは、制御線５０−１に伝送される信号を、例えば、電圧による２値信号の「正常」から「異常」の状態にする。
【００３４】
ユニット４０−２において、選択切替部４０−２ｃが制御線５０−１を選択している場合、制御線５０−１に異常に基づく制御信号が通知されると、監視部２０の設定に基づいて、選択切替部４０−２ｃを介して異常に基づく制御信号が制御部４０−２ｂに伝送される。制御部４０−２ｂは、動作部４０−２ａを制御し、現用系から予備系に動作または経路を切り替える。
【００３５】
以上に説明したように、本発明の実施形態によれば、監視部２０を経由せずに、制御線群５０を構成する一の制御線を介してユニット同士が切替命令を授受するので、現用系から予備系への切り替え動作を迅速に実行することができる。すなわち、図１１に示す従来技術では、監視部２０は、例えば、信号線１１を介してユニット１０−１〜１０−ｎをこの順番で監視する場合、ユニット１０−２と通信中にユニット１０−１で異常が発生した場合には、ユニット１０−３〜１０−ｎとの通信が全て終了するまで異常を検出することができない。なお、監視部２０に対して図示しない信号による割り込み処理等で異常を検出する方法を用いた場合は、ユニット１０−３〜１０−ｎとの通信が全て終了するまで待たなくても検出可能であるが、監視部２０が異常を検出してから制御命令を発するので、監視部２０を経由する分時間を要する。しかしながら、本実施形態では、制御線群５０を用いることで、直ちに異常に基づく制御信号の通知をするとともに、現用系から予備系への切り替え動作を迅速に実行することができる。これにより、図１１に示す従来技術に比べて図１に示す実施形態では、切替動作を短時間で実行可能である。一例としては、伝送機器の構成、設定、動作環境次第により切替動作を１０ミリ秒以下で実行することも可能である。この様に、本発明の実施形態によれば、サービスの停止時間を短縮することが可能である。
【００３６】
つぎに、図７を参照して、本発明の実施形態のより具体的な使用例について説明する。図７の構成例は、光送信器７０、伝送装置１、光伝送路７１，７２、クロージャ７３、光受信器７４、および、端末装置７５を有している。ここで、光送信器７０は、電気信号を光信号に変換して出力する。伝送装置１は、モニタ部４００−１および伝送路切替部４００−２を有し、光伝送路７１，７２のいずれか一方を選択し、光送信器７０から出力される光信号を送出する。光伝送路７１，７２は、一方が現用系、他方が予備系として使用され、伝送路切替部４００−２から出力される光信号をクロージャ７３に伝送する。クロージャ７３は、光伝送路７１，７２から伝送された光信号を光受信器７４に出力するとともに、一部を折り返して光伝送路７１，７２を介してモニタ部４００−１に供給する。光受信器７４は、クロージャ７３から供給される光信号を電気信号に変換して端末装置７５に供給する。端末装置７５は、例えば、テレビ受像機やパーソナルコンピュータ等によって構成される。
【００３７】
なお、伝送装置１が有するモニタ部４００−１は図３に示すユニット４０−１と比較して、検出部を２つ有する点で相違している。伝送路切替部４００−２は図４に示すユニット４０−２と同様の構成を有している。以下では、モニタ部４００−１は、伝送路７１の異常を検出する検出部４００−１ａ１、伝送路７２の異常を検出する検出部４００−１ａ２、制御部４００−１ｂ、および、選択切替部４００−１ｃを有するとし、伝送路切替部４００−２は動作部４００−２ａ、制御部４００−２ｂ、および、選択切替部４００−２ｃを有するものとする。また、図７に示す伝送装置１は、図１と同様の構成を有しているので、以下では、図１を適宜参照しながら説明を行う。
【００３８】
つぎに、図７に示す実施形態の動作について説明する。図７に示す実施形態でも、前述の場合と同様に、ラック３を所望の場所に配置した後、ユニット４０−１に対応するモニタ部４００−１、ユニット４０−２に対応する伝送路切替部４００−２をラック３に装着する。そして、制御端末３０を操作して、監視部２０にアクセスし、設定を行う。図７に示す実施形態では、例えば、選択切替部４００−１ｃによって制御線５０−１を選択させる。また、検出部４００−１ａ１によって光伝送路７１の異常が検出された場合、または、検出部４００−１ａ２によって光伝送路７２の異常が検出された場合には、制御線５０−１に対して異常に基づく制御信号を通知するように設定する。また、伝送路切替部４００−２に対しては、選択切替部４００−２ｃによって制御線５０−１を選択させる。また、動作部４００−２ａに対して例えば光伝送路７１を現用系として選択するように設定し、検出部４００−１ａ１が異常を検出した場合には、動作部４００−２ａに対して光伝送路７２に切り替えさせるように設定する。同様に、例えば光伝送路７２を現用系として選択するように設定した場合は、検出部４００−１ａ２が異常を検出した場合には、動作部４００−２ａに対して光伝送路７１に切り替えるように設定する。
【００３９】
以上の設定により、光送信器７０から送信された光信号は、伝送路切替部４００−２が光伝送路７１を選択している場合、伝送路切替部４００−２を介して光伝送路７１に送出される。例えば、光伝送路７１を伝送された光信号は、クロージャ７３において一部が折り返されて光伝送路７１を介して検出部４００−１ａ１に入射される。クロージャ７３を通過した光信号は、光受信器７４によって電気信号に変換され、端末装置７５に入力される。このような状態において、例えば、光伝送路７１が断線した場合には、検出部４００−１ａ１に対して光信号が入射されなくなるので、検出部４００−１ａ１は異常を検出し、制御部４００−１ｂに通知する。制御部４００−１ｂは、選択切替部４００−１ｃを介して制御線５０−１に対して異常に基づく制御信号を通知する。この結果、ユニット４０−２の制御部４００−２ｂが制御線５０−１から異常に基づく制御信号を受領する。制御部４００−２ｂは、制御線５０−１から異常に基づく制御信号を受領すると、動作部４００−２ａを制御し、光伝送路７１から光伝送路７２へ選択を変更する。この結果、光送信器７０から出力された光信号は、光伝送路７２を介してクロージャ７３に伝送される。一方、例えば伝送路切替部４００−２が光伝送路７２を選択している場合、クロージャ７３で折り返された光信号は検出部４００−１ａ２に入射される。この状態において光伝送路７２で断線等が生じた場合には、検出部４００−１ａ２がこれを検出し、制御部４００−１ｂが選択切替部４００−１ｃを介して制御線５０−２に対して異常に基づく制御信号を通知する。ユニット４０−２の制御部４００−２ｂは、制御線５０−２から異常に基づく制御信号を受領すると、動作部４００−２ａを制御し、光伝送路７２から光伝送路７１へ変更する。
【００４０】
以上の動作によって、断線等によって光伝送路７１に異常が発生した場合でも、光伝送路７２に迅速に切り替えることが可能になる。なお、図１１に示す従来技術を使用した場合に比べて、本発明の実施形態によれば、切替動作を短時間で実行可能である。一例としては、伝送機器の構成、設定、動作環境次第により切替動作を１０ミリ秒以下で実行することも可能である。この様に、本発明の実施形態によれば、サービスの停止時間を短縮することができる。
【００４１】
図８および図９は、本発明の他の実施形態を示す図である。図８（Ａ）は、ユニット４０−１，４０−２を光増幅器４１０−１，４１０−２として使用した例である。なお、この例では、光増幅器４１０−１は、動作部と検出部の双方を有しており、動作部は光増幅部の動作有無の制御を行い、検出部は光増幅部の動作等の良否を検出する。光増幅器４１０−２も同様に、動作部と検出部の双方を有しており、動作部は光増幅部の動作有無の制御を行い、検出部は光増幅部の動作等の良否を検出する。図８（Ａ）では、光増幅器４１０−１が現用系として通常時は光増幅の動作を行う状態（例えば、レーザーの駆動電流をＯＮとした状態）となっており、光増幅器４１０−２が予備系として通常時は光増幅動作を行わない状態（例えば、レーザーの駆動電流をＯＦＦとした状態）となっている。そして、光増幅器４１０−１に異常が発生した場合には、例えば、制御線５０−１を電圧による２値信号の「正常」から「異常」の状態にするとともに、光増幅の動作を停止する。光増幅器４１０−２は、制御線５０−１が「異常」の状態になると、光増幅の動作を開始する。これにより、現用系から予備系への切り替えが可能になる。
【００４２】
図８（Ｂ）は、ユニット４０−１，４０−２を光送信器４２０−１，４２０−２として使用した例である。なお、この例では、光送信器４２０−１は、動作部と検出部の双方を有しており、動作部は光出力部の動作有無の制御を行い、検出部は光送信部の動作等の良否を検出する。光送信器４２０−２も同様に、動作部と検出部の双方を有しており、動作部は光出力部の動作有無の制御を行い、検出部は光送信部の動作等の良否を検出する。図８（Ｂ）では、光送信器４２０−１が現用系として通常時は光出力の動作を行う状態（例えば、レーザーの駆動電流をＯＮとした状態）で使用され、光送信器４２０−２が予備系として通常時は光出力の動作を行わない状態（例えば、レーザーの駆動電流をＯＦＦとした状態）で使用される。光増幅器４２０−１に異常が発生した場合には、例えば、制御線５０−１を電圧による２値信号の「正常」から「異常」の状態にするとともに、光出力の動作を停止する。光送信器４２０−２は、制御線５０−１が「異常」の状態になると、光出力の動作を開始する。これにより、現用系から予備系への切り替えが可能になる。
【００４３】
図９（Ａ）は、ユニット４０−１，４０−２を光受信器４３０−１，４３０−２として使用した例である。なお、この例では、光受信器４３０−１は、動作部と検出部の双方を有しており、動作部は光信号を受信し電気信号に変換して出力し、検出部は動作部の動作状態および光信号の入力状態等の良否を検出する。光受信器４３０−２も同様に、動作部と検出部の双方を有しており、動作部は光信号を受信し電気信号に変換して出力し、検出部は動作部の動作状態および光信号の入力状態等の良否を検出する。図９（Ａ）では、光受信器４３０−１が現用系として通常時は動作を行う状態で使用され、光受信器４３０−２は予備系として通常時は動作を行わない状態で使用される。そして、光受信器４３０−１に異常が発生した場合には、例えば、制御線５０−１を電圧による２値信号の「正常」から「異常」の状態にするとともに、動作部の動作を停止する。光受信器４３０−２は、制御線５０−１が「異常」の状態になると、動作部の動作を開始する。これにより、現用系から予備系への切り替えが可能になる。
【００４４】
図９（Ｂ）は、ＲＦモニタ４４０−１を有するユニット４０−１と、ＲＦ切換部４４０−２とを有するユニット４０−２とを使用した例である。なお、この例では、ＲＦモニタ４４０−１は、図３と比較して、検出部を２つ有する点で相違している。ＲＦ切換部４４０−２は図４と同様の構成を有している。ＲＦ分岐部４４０−３はＲＦ信号の一部を分岐させて検出部４４０−１ａ１に供給するとともに、ＲＦ切替部４４０−２にＲＦ信号を供給する。ＲＦ分岐部４４０−４はＲＦ信号の一部を分岐させて検出部４４０−１ａ２に供給するとともに、ＲＦ切替部４４０−２にＲＦ信号を供給する。図９（Ｂ）では、例えばＲＦ分岐部４４０−３が現用系として使用され、ＲＦ切換部４４０−２は、ＲＦ分岐部４４０−３から出力されるＲＦ信号を選択して出力する。そして、検出部４４０−１ａ１に入力されるＲＦ信号に異常が発生した場合には、ＲＦモニタ４４０−１は、例えば、制御線５０−１を電圧による２値信号の「正常」から「異常」の状態にする。ＲＦ切換部４４０−２は、制御線５０−１が「異常」の状態になると、ＲＦ分岐部４４０−４から出力される信号を選択して出力する。これにより、現用系から予備系への切り替えが可能になる。
【００４５】
図９（Ｃ）は、光モニタ４５０−１を有するユニット４０−１と、光切換部４５０−２を有するユニット４０−２とを使用した例である。なお、この例では、光モニタ４５０−１は、図３と比較して、検出部を２つ有する点で相違している。光切換部４４０−２は図４と同様の構成を有している。光カプラ４５０−３は光信号の一部を分岐させて検出部４５０−１ａ１に供給するとともに、光切替部４５０−２に光信号を供給する。光カプラ４５０−４は光信号の一部を分岐させて検出部４４０−１ａ２に供給するとともに、光切替部４５０−２に光信号を供給する。図９（Ｃ）では、例えば光カプラ４５０−３から出力される光信号が現用系として使用され、光切換部４５０−２は、光カプラ４５０−３から出力される光信号を選択して出力する。そして、検出部４５０−１ａ１に入力される光信号に異常が発生した場合には、光モニタ４５０−１は、例えば、制御線５０−１を電圧による２値信号の「正常」から「異常」の状態にする。光切換部４５０−２は、制御線５０−１が「異常」の状態になると、光カプラ４５０−４から出力される光信号を選択して出力する。これにより、現用系から予備系への切り替えが可能になる。
【００４６】
（Ｃ）変形実施形態の説明
以上の各実施形態は一例であって、本発明が上述したような場合のみに限定されるものではない。例えば、図１に示す実施形態では、ラック３が１台だけの構成としたが、ラックを複数有するようにしてもよい。図１０は、３台のラック３−１〜３−３を有する場合の構成例である。この図１０の例では、ラック３−１にはユニット４０１−１〜４０１−ｍ（ｍ＞１）が収容され、ラック３−２にはユニット４０２−１〜４０２−ｎ（ｎ＞１）が収容され、ラック３−３にはユニット４０３−１〜４０３−ｏ（ｏ＞１）が収容されている。また、ラック３−１のユニット４０１−１〜４０１−ｍは制御線群５００−１によって接続され、ラック３−２のユニット４０２−１〜４０２−ｎは制御線群５００−２によって接続され、ラック３−３のユニット４０３−１〜４０３−ｏは制御線群５００−３によって接続されている。また、制御線群５００−１〜５００−３はケーブル５−１，５−２によって相互に接続されている。このような実施形態では、制御線群５００−１〜５００−３を介して通信を行うユニットは、同じラックに集中して収容するようにしてもよいし、異なるラックに分散して収容するようにしてもよい。どのラックに収容した場合でも、制御線群５００−１〜５００−３は、コネクタ５−１，５−２によって相互に接続されているので、異なるラックに収容されたユニット間においても制御信号の授受を行うことができる。なお、ラック３−１〜３−３を、さらに大きなメインラックに収容するようにしてもよい。
【００４７】
また、図７、図９（Ｂ）、図９（Ｃ）に示す実施形態では、各伝送路に対して検出部を設ける構成としたが、必要に応じていずれか一方にのみ検出部を設ける構成としてもよい。例えば、現用系の伝送路にのみ検出部を設け、該検出部にて異常を検出した場合に伝送路を現用系から予備系に切り替える様にしても良い。
【００４８】
また、以上の実施形態では、制御線群５０は、４本の制御線を有する場合を例に挙げて説明したが、４本以外の本数としてもよい。より詳細には、３本以下にしても、５本以上にしてもよい。
【００４９】
また、制御線群５０には、異常に基づく制御信号として、例えば、制御線を２本用いて、一方の信号を電圧２値で状態を示す信号とし、他方の信号を電圧２値の変化によるトリガ信号とし、トリガ信号が変化するタイミングで、電圧２値で示された状態を読み取り、切替を実行するようにしてもよい。このような方法によれば、ノイズの影響を少なくすることができるだけでなく、他ユニットの挿抜等で状態信号が一時的に変化した場合に、誤って切替が実行される事を低減することもできる。また、２値信号ではなく多値信号を用いるようにしたり、符号化されたビット情報を送信するようにしたりしてもよい。そのような方法によれば、より正確かつ多くの情報を送ることが可能になる。
【００５０】
また、１つのユニットの検出結果により複数のユニットの動作部を制御するような場合には、同じ制御線を占有しているユニットの一部が故障したり電源断となったりした場合に、制御線の信号状態が不安定となるのを防ぐために、ユニットの出入り口等でフォトカプラ等を介して制御線を接続し、信号の受け渡すようにしてもよい。
【００５１】
また、以上の実施形態では、選択切替部４０−１ｃ，４０−２ｃは、制御線群５０を択一的に選択するようにしたが、例えば、制御部４０−１ｂ，４０−２ｂが複数の入出力ポートを有する場合には、複数の信号線を選択し、これら複数の信号線と、複数の入出力ポートを任意に接続できるようにしてもよい。もちろん、制御部４０−１ｂ，４０−２ｂが複数の入出力ポートを有する場合であっても、いずれか１の入出力ポートのみを１の信号線と接続するようにしてもよい。
【００５２】
また、以上の実施形態では、選択切替部４０−１ｃ，４０−２ｃは、制御部４０−１ｂ，４０−２ｂによって接続状態を制御するようにしたが、選択切替部４０−１ｃ，４０−２ｃとして、例えば、ディップスイッチのような手動のスイッチを用いるようにしてもよい。
【００５３】
また、以上の実施形態では、監視部２０とユニット４０−１〜４０−ｎ間を信号線１１で通信するようにしたが、例えば、ＲＳ−４８５／ＲＳ−４２２のような非同期式シリアル通信やＩ２Ｃ（Inter-Integrated Circuit）やＳＰＩ（Serial Peripheral Interface）といった同期式シリアル通信の他、パラレル通信を用いるようにしてもよい。
【００５４】
また、制御部４０−１ｂ、４０−２ｂについては例えば、ロジックＩＣやシリアル/パラレル変換ＩＣ等の部品で構成したり、ＣＰＵ（Central Processing Unit）、ＰＬＤ（Programmable Logic Device）、または、ＦＰＧＡ（Field Programmable Gate Array）で構成したりしてもよい。
【００５５】
また、以上の実施形態では、ラックにユニットが装着される例を用いて説明したが、そのような構造だけでなく、直線状あるいはループ状等に配置された多芯ケーブルを制御線群とし、検出部あるいは動作部を備えたユニットを制御線群であるケーブルに任意の箇所で接続するような構成にしてもよい。この場合、多芯ケーブルは途中で分岐、合流点がある構成としてもよい。
【００５６】
また、以上の実施形態では、検出部を有する1つのユニットが制御線1本を使用して動作部を有するユニットに対して切替命令を送出する例を用いて説明したが、例えば、検出部を有する２つのユニットが制御線２本を使用して切替命令を送出し、動作部を有するユニットは２本の制御線から切替命令を受け、例えば、先に命令を受け取った方をトリガとして認識する等の優先順位に基づいて、切替を実行するような構成としても良い。
【００５７】
また、以上の実施形態では、制御線とユニットが電気的に接続される例を用いて説明したが、光信号で接続するようにしてもよい。
【００５８】
また、以上の実施形態では、監視部２０と制御端末３０をＬＡＮケーブルで接続する方法を示したが、例えばＲＳ−２３２Ｃケーブルや専用のケーブル等で接続するようにしてもよい。
【００５９】
また、以上の実施形態では、制御端末３０からユニット４０−１、ユニット４０−２の設定を行う例を示したが、監視部２０で直接これらの設定を行うようにしてもよい。
【００６０】
また、以上の実施形態では、ユニット４０−１で検出された異常に基づく制御信号がユニット４０−２に通知されるようにしたが、異常の形態が複数ある場合等は、ユニット４０−１においてそれらの状態を、優先順位等を踏まえて判定した結果として、制御信号をユニット４０−２に通知するようにしてもよい。
【００６１】
また、以上の実施形態では、ラックとユニットの接続をコネクタで行う例を示したが、ケーブルや接触用端子等で構成してもよい。
【００６２】
また、以上の実施形態（例えば図６）では、全てのユニットに対して全ての制御線が接続可能な例を示したが、ユニットによっては制御線を一部のみ接続可能な構成としてもよいし、制御線が接続されないユニットを有する構成としてもよい。
【００６３】
また、図７においては光送信器７０、光受信器７４で構成される例を示したが、光送信機能を持つ光送受信器を光送信器７０の代わりに配置したり、光受信機能を持つ光送受信器を光受信器７４の代わりに配置したりしてもよい。
【符号の説明】
【００６４】
１  伝送装置
３，３−１〜３−３  ラック
５−１，５−２  コネクタ
１１  信号線
２０  監視部
２５  ＬＡＮケーブル
３０  制御端末
４０−１〜４０−ｎ  ユニット（機能単位）
４０−１ａ  検出部
４０−２ａ  動作部
４０−１ｂ，４０−２ｂ  制御部
４０−１ｃ，４０−２ｃ  選択切替部
５０，５００−１〜５００−３  制御線群
５０−１〜５０−６  制御線
７０  光送信器
７１，７２  光伝送路
７３  クロージャ
７４  光受信器
７５  端末装置
８０  光合波部
８１  ＲＦ合波部
４００−１  モニタ部
４００−２  伝送路切替部
４１０−１，４１０−２  光増幅器
４２０−１，４２０−２  光送信器
４３０−１，４３０−２  光受信器
４４０−１  ＲＦモニタ
４４０−２  ＲＦ切替部
４０１−１〜４０１−ｍ，４０２−１〜４０２−ｎ，４０３−１〜４０３−ｏ  ユニット
【図１】
2016032175.tif 000003
【図２】
2016032175.tif 000004
【図３】
2016032175.tif 000005
【図４】
2016032175.tif 000006
【図５】
2016032175.tif 000007
【図６】
2016032175.tif 000008
【図７】
2016032175.tif 000009
【図８】
2016032175.tif 000010
【図９】
2016032175.tif 000011
【図１０】
2016032175.tif 000012
【図１１】
2016032175.tif 000013
【図１２】
2016032175.tif 000014